(57)【要約】【課題】防護柵用支柱を土中に埋設する際に、騒音の発生を低減させて埋設することができる構造を備えた防護柵用支柱及び防護柵を提供する。【解決手段】円筒体からなる取付部４１を備えた掘削部材４の下端部に、その周方向に沿って複数の刃部４２が間隔をあけて下方に突出して設けられ、前記取付部４１の側壁４３に透孔４４が設けられ、該取付部４１の透孔４４と、円筒体からなる支柱本体１１の下端部に設けられた挿通孔１２に固定具である取付ボルトＢが挿通されて、前記掘削部材４が前記支柱本体１１の下端部に、前記刃部４２が前記支柱本体１１の下端から突出するように取付ける。【選択図】        図１
2018016937.tif 000002
【特許請求の範囲】
【請求項１】
円筒体からなる取付部を備えた掘削部材の下端部に、その周方向に沿って複数の刃部が間隔をあけて下方に突出して設けられ、前記取付部の側壁に透孔が設けられ、該取付部の透孔と、円筒体からなる支柱本体の下端部に設けられた挿通孔に固定具が挿通されて、前記掘削部材が前記支柱本体の下端部に、前記刃部が前記支柱本体の下端から突出するように取付けられていることを特徴とする防護柵用支柱。
【請求項２】
前記掘削部材は前記支柱本体に内挿されていることを特徴とする請求項１に記載の防護柵用支柱。
【請求項３】
前記刃部は、左右の幅を画定する一方の側端に形成された円筒体の軸方向に延設された非傾斜側端部と、他方の側端に形成された前記非傾斜側端部に向けて先細りに傾斜する傾斜側端部とを備えていることを特徴とする請求項１または２に記載の防護柵用支柱。
【請求項４】
前記刃部は、一方の側端に形成された円筒体の軸方向に延設された非傾斜側端部と、先細りに傾斜する傾斜側端部とを備えていることを特徴とする請求項１または２に記載の防護柵用支柱。
【請求項５】
請求項１〜４のいずれか１項に記載の防護柵用支柱を用い、その防護柵用支柱の支柱本体に柵部材が取付けられて成ることを特徴とする防護柵。
【発明の詳細な説明】
【技術分野】
【０００１】
本発明は、道路等に設置される防護柵に用いられる防護柵用支柱及び防護柵に関するものである。
【背景技術】
【０００２】
従来、道路等に設置される防護柵用支柱としては、例えば特許文献１〜３には、移動可能な車両に水平旋回自在に搭載される埋設機基部と、この埋設機基部の上に起伏自在に設けられるガイド装置と、このガイド装置により昇降移動自在な回転駆動装置及び打撃力発生装置を備えている支柱埋設装置により、土中にその一部を埋設される支柱が開示されており、防護柵用支柱のような小径の支柱を連続して埋設していくに際し、埋設時の騒音を抑えることができ、また硬質地盤への埋設も対応可能となるようである（特許文献１〜３）。
【先行技術文献】
【特許文献】
【０００３】
【特許文献１】特開２００３−１５５７４５号公報
【特許文献２】特開２００４−２３８８８３号公報
【特許文献３】特開２００６−１８８８５５号公報
【発明の開示】
【発明が解決しようとする課題】
【０００４】
しかしながら、上記防護柵用支柱においては、防護柵用支柱を回転駆動装置により埋設するのに加え、打撃力発生装置を用いることになるため、防護柵用支柱を打撃力により埋設する際には、やはり前記打撃力による騒音が発生することは否めず、更なる改良が望まれるものであった。
【０００５】
本発明は、防護柵用支柱を土中に埋設する際に、騒音の発生を低減させて埋設することができる構造を備えた防護柵用支柱及び防護柵を提供せんとするものである。
【課題を解決するための手段】
【０００６】
上記目的を達成するために、本発明は次のような構成としている。
すなわち、本発明に係る防護柵用支柱は、円筒体からなる取付部を備えた掘削部材の下端部に、その周方向に沿って複数の刃部が間隔をあけて下方に突出して設けられ、前記取付部の側壁に透孔が設けられ、該取付部の透孔と、円筒体からなる支柱本体の下端部に設けられた挿通孔に固定具が挿通されて、前記掘削部材が前記支柱本体の下端部に、前記刃部が前記支柱本体の下端から突出するように取付けられていることを特徴とするものである。
【０００７】
また本発明に係る防護柵用支柱は、前記掘削部材は前記支柱本体に内挿されるようにしてもよい。
【０００８】
また本発明に係る防護柵用支柱は、前記刃部は、左右の幅を画定する一方の側端に形成された円筒体の軸方向に延設された非傾斜側端部と、他方の側端に形成された前記非傾斜側端部に向けて先細りに傾斜する傾斜側端部とを備えるようにしてもよい。
【０００９】
また本発明に係る防護柵用支柱は、前記刃部は、一方の側端に形成された円筒体の軸方向に延設された非傾斜側端部と、先細りに傾斜する傾斜側端部とを備えるようにしてもよい。
【００１０】
また本発明に係る防護柵は、上記発明に記載の防護柵用支柱を用い、その防護柵用支柱の支柱本体に柵部材が取付けられてなることを特徴とするものである。
【発明の効果】
【００１１】
本発明に係る防護柵用支柱によれば、円筒体からなる取付部を備えた掘削部材の下端部に、その周方向に沿って複数の刃部が間隔をあけて下方に突出して設けられ、前記取付部の側壁に透孔が設けられ、該取付部の透孔と、円筒体からなる支柱本体の下端部に設けられた挿通孔に固定具が挿通されて、前記掘削部材が前記支柱本体の下端部に、前記刃部が前記支柱本体の下端から突出するように取付けられているので、支柱本体の下端より下方に突出した刃部を設置場所に差し込み、支柱本体を設置場所の土砂や岩盤を掘削しながら回転埋設させるので、騒音の発生を効果的に低減させて埋設することができる。
【００１２】
また本発明に係る防護柵用支柱によれば、前記掘削部材は前記支柱本体に内挿されているので、土砂等が前記防護柵用支柱の内部に入ってくることにより前記防護柵用支柱の先端が閉塞するのを抑制することができ、回転圧入打ち込み機具の施工荷重を低下させ、施工性を向上させることができる。即ち、鋼管杭の回転圧入方法において、施工時の地盤抵抗、特に、防護柵用支柱の先端の抵抗を低減し、施工荷重を低減させることにより、小さな施工重機によって施工が可能となり、さらには施工期間の短縮も実現することができ、もって防護柵設置に係る施工コストの低減が図られる。
【００１３】
また本発明に係る防護柵用支柱によれば、前記刃部は、左右の幅を画定する一方の側端に形成された円筒体の軸方向に延設された非傾斜側端部と、他方の側端に形成された前記非傾斜側端部に向けて先細りに傾斜する傾斜側端部とを備えているので、支柱本体の下端より下方に突出した刃部を設置場所に押圧する際、設置場所に刃部を差し込み易いのに加え、設置場所に差し込んだ刃部を、非傾斜側端部の方向に回転させて、前記非傾斜側端部で土砂や岩盤をかき出すことができ、効率よく防護柵支柱を埋設することができるとともに、支柱本体を設置場所の土砂や岩盤を掘削しながら回転埋設させるので、騒音の発生を効果的に低減させて埋設することができ、さらには傾斜面からなる傾斜側端部の方向に回転させるのに比べ、支柱本体を回転させた時に設置場所からチップに上向きの反力がかかるのを防ぐことができる。
【００１４】
また本発明に係る防護柵用支柱によれば、前記刃部は、一方の側端に形成された円筒体の軸方向に延設された非傾斜側端部と、先細りに傾斜する傾斜側端部とを備えているので、支柱本体の下端より下方に突出した刃部を設置場所に押圧する際、設置場所に刃部を差し込み易いのに加え、設置場所に差し込んだ刃部を、非傾斜側端部の方向に回転させて、前記非傾斜側端部で土砂や岩盤をかき出すことができ、効率よく防護柵支柱を埋設することができるとともに、支柱本体を設置場所の土砂や岩盤を掘削しながら回転埋設させるので、騒音の発生を効果的に低減させて埋設することができ、さらには傾斜面からなる傾斜側端部の方向に回転させるのに比べ、支柱本体を回転させた時に設置場所からチップに上向きの反力がかかるのを防ぐことができる。
【００１５】
また本発明に係る防護柵によれば、上記発明に記載の防護柵用支柱を用い、その防護柵用支柱の支柱本体に柵部材が取付けられているので、防護柵の施工の際の騒音を低減することができ、好ましい。
【図面の簡単な説明】
【００１６】
【図１】本発明に係る防護柵用支柱の実施の一形態を示す、（ａ）は正面図、（ｂ）は右側面図、（ｃ）は底面図、（ｄ）は平面図である。
【図２】図１に示す防護柵用支柱の下部を拡大した一部分解の正面図である。
【図３】図１に示す掘削部材の実施の一形態を示す、（ａ）は正面図、（ｂ）は右側面図、（ｃ）は底面図、（ｄ）は平面図である。
【図４】図１に示す支柱本体の実施の一形態を示す、（ａ）は正面図、（ｂ）は右側面図、（ｃ）は底面図、（ｄ）は平面図である。
【図５】本発明に係る防護柵用支柱を用いて形成される防護柵の実施の一形態を示す、（ａ）は正面図、（ｂ）は側面図である。
【図６】本発明に係る防護柵用支柱を構成する掘削部材の別の実施形態を示す、（ａ）は正面図、（ｂ）は右側面図、（ｃ）は底面図、（ｄ）は平面図である。
【発明を実施するための形態】
【００１７】
次に、本発明を実施するための形態について図面を参照し、具体的に説明する。なお、本実施形態はあくまでも本発明を理解するための一例を示したに過ぎず、各部の形状、構造、材質等に関し、本実施形態以外のバリエーションが、本発明の要旨を逸脱しない範囲内で許容されていることは言うまでもない。
【００１８】
図面において、１は本発明に係る防護柵用支柱、２は地面Ｇに適宜間隔を開けて立設された防護柵用支柱１間に架設された柵部材である横ビーム、３は横ビーム２を防護柵用支柱１に支持するためのビーム支持具であり、防護柵Ｐは、本発明に係る防護柵用支柱１を用い、その防護柵用支柱１の円筒体からなる支柱本体１１に柵部材である横ビーム２が取付けられて形成されたものである。
【００１９】
前記防護柵用支柱１は、円筒体からなる取付部４１を備えた掘削部材４の下端部に、その周方向に沿って８個の刃部４２がほぼ等間隔をあけて下方に突出して設けられ、前記取付部４１の側壁４３に透孔４４が設けられ、前記取付部４１の透孔４４と、前記支柱本体１１の下端部に設けられた挿通孔１２に固定具である取付ボルトＢが挿通されて、前記掘削部材４が前記支柱本体１１の下端部に、前記刃部４２が前記支柱本体１１の下端から突出するように取付けられ、ナットＮ１で固定されて形成されている。
【００２０】
そして、前記防護柵用支柱１の上端には開口を塞ぐ支柱キャップＣが取付けられて、前記防護柵用支柱１間に横ビーム２が架設されている。本実施形態において、前記支柱本体１１は、直径１１４．３ｍｍ、厚さ４．５ｍｍの鋼管であり、前記横ビーム２は、直径４８．６ｍｍ、厚さ３．２ｍｍの鋼管であり、前記掘削部材４は直径１０１．６ｍｍ、厚さ４．５ｍｍの鋼管から形成されており、いずれも防蝕性下地処理に耐候性塗装仕上げがなされたものである。
【００２１】
横ビーム２の地上高さは６００ｍｍを中央として上下それぞれ１５０ｍｍの高さ位置に３段取付けられている。そして、前記支柱本体１１の下端より上方に至る側壁１１１の上部には、前記横ビーム２を取付けるための後述する貫通ボルトＫを挿通するための貫通孔１１２が上下方向に３段に設けられている。なお上記の支柱本体１１及び横ビーム２の直径や厚さについては、これに限定されるものではなく、適宜用いればよい。
【００２２】
前記掘削部材４は、前記支柱本体１１の下端部に取付けられる短尺の円筒体からなる前記取付部４１と、その下端部に設けられ、前記支柱本体１１の下端より下方に突出された前記刃部４２とを備え、前記掘削部材４は前記支柱本体１１に内挿されて取付けられている。これによって、土砂等が前記防護柵用支柱１の内部に入ってくることにより前記防護柵用支柱１の先端が閉塞するのを抑制することができ、回転圧入打ち込み機具の施工荷重を低下させ、施工性を向上させることができる。即ち、防護柵用支柱の回転圧入方法において、施工時の地盤抵抗、特に、防護柵用支柱の先端の抵抗を低減し、施工荷重を低減させることにより、小さな施工重機によって施工が可能となり、さらには施工期間の短縮も実現することができ、もって防護柵設置に係る施工コストの低減が図られる。
【００２３】
前記刃部４２は、図１〜３に示す通り、左右の幅を画定する一方の側端に形成された円筒体の軸方向に延設された非傾斜側端部４２１と、先細りに傾斜する傾斜側端部４２２とを備えている三角形状に形成してもよいし、図６に示す通り、左右の幅を画定する一方の側端に形成された円筒体の軸方向に延設された非傾斜側端部４２１と、他方の側端に形成された前記非傾斜側端部４２３に向けて先細りに傾斜する傾斜側端部４２２とを備えている台形状に形成してもよい。
【００２４】
前記防護柵用支柱１を、前記支柱本体１１を下方に押圧しつつ前記非傾斜側端部４２１の方向に、すなわち本形態においては、図１（ｄ）における時計回りαに回転させることにより、前記防護柵用支柱１の下端部を地面Ｇに回転埋設し、前記防護柵用支柱１を地面Ｇに設置する。上記の如き構成とすることにより、前記支柱本体１１の下端より下方に突出した前記掘削部材４の刃部４２を地面Ｇに押圧する際、地面Ｇに前記刃部４２を差し込み易いのに加え、地面Ｇに差し込んだ前記刃部４２を、非傾斜側端部４２１の方向αに回転させて、前記非傾斜側端部４２１で土砂や岩盤をかき出すことができ、効率よく前記防護柵支柱１を埋設することができるとともに、前記防護柵支柱１を地面Ｇの土砂や岩盤を掘削しながら回転埋設させるので、騒音の発生を効果的に低減させて埋設することができ、さらには、傾斜面からなる傾斜側端部４２２の方向に回転させるのに比べ、前記支柱本体１１を回転させた時に設置場所から前記掘削部材４に上向きの反力がかかるのを防ぐことができる。
【００２５】
前記横ビーム２は、互いに隣接する側端部の接続部において、それぞれの横ビーム２の端部に挿入されるほぼ円管状の接続具２１を介して接続されたものである。本実施形態においては、前記横ビーム２は上下に３段取付けられているが、特にこれに限定されるものではなく、２段或いは４段にする等、必要に応じて適宜設定することができる。又、本実施形態における柵部材は横ビーム２となされているが、これに限定されるものではなく、上下の横ビーム２の間に、上下にパイプを配置した縦格子状のものでもよく、また鉄鋼製の細線をメッシュ状に溶接したパネルを配置したものでもよい。
【００２６】
前記ビーム支持具３は、前記支柱本体１１の側壁１１１に当接され固定される垂直板部３１と、前記横ビーム２を支える上板部３２、下板部３３とを備えている。また前記垂直板部３１は、前記支柱本体１１の側壁１１１に当接されると共に、前記支柱本体１１を水平方向に貫通する貫通ボルトＫが貫通され、この貫通ボルトＫに螺合されたナットＮ１を締め付けることにより、前記支柱本体１１の側壁１１１に固定され、これにより前記ビーム支持具３が前記防護柵用支柱１に取付けられる。
【００２７】
前記ビーム支持具３の上板部３２、下板部３３は、垂直板部３１の前面側の上端部及び下端部から前方に向けて突設され、前記横ビーム２を上下から挟んで支えるものである。本実施形態では、前記接続具２１により隣接する前記横ビーム２の両端部が間隔を開けて接続されたものであり、前記接続具２１において、外観に現出した箇所が前記上板部３２、下板部３３との間に配置され、前記上板部３２、接続具２１、及び下板部３３を上下方向に固定ボルトＤが貫通され、ナットＮ２を締め付けて、前記上板部３２、前記下板部３３との間で前記接続具２１を挟持するものである。そして、前記上板部３２、前記下板部３３の先端部はそれぞれ内側に向けて曲折された湾曲部３４、３５が形成され、前記上板部３２、下板部３３及び湾曲部３４、３５により前記接続具２１が覆われ、意匠性を高めたものとなっている。尚、前記横ビーム２が前記上板部３２、下板部３３の間に直接挿入されて挟持される形態でもよい。
【００２８】
隣り合う前記防護柵用支柱１どうしの離間距離が比較的長い場合には、前記防護柵用支柱１と防護柵用支柱１との間に防護柵用支柱１Ａを設け、前記横ビーム２の中間部が前記防護柵用支柱１Ａに取付けられたビーム支持具３Ａで支えられている。本実施形態の前記ビーム支持具３Ａは、垂直板部３１の上部から水平方向に上板部３２が延設され、この上板部３２の端部を下方に曲折し、さらにその先端を前方に向けて円弧状に折り返して縦断面Ｊ字状に形成し、このＪ字状部に前記横ビーム２を載置し、前記横ビーム２とＪ字状部とを固定ボルトＤで連結したものである。
【００２９】
前記防護柵用支柱１を構成する前記支柱本体１１及び掘削部材４は、前記横ビーム２を支えることを考慮すると金属製のものを用いるのが好ましく、一般にはアルミニウム、ステンレス、鉄鋼等のパイプ、形材からなる長尺体を適宜長さに切断したものや、それらにめっき、塗装を施したもの等を好適に用いることができる。
【００３０】
前記横ビーム２は、前記防護柵Ｐとしての必要な強度を考慮すると前記防護柵用支柱１と同様に金属製のものを用いるのが好ましく、一般にはアルミニウム、ステンレス、鉄鋼等のパイプ、形材からなる長尺体を適宜長さに切断したものや、それらにめっき、塗装を施したもの等を好適に用いることができる。
【００３１】
前記ビーム支持具３は、前記横ビーム２を支えることを考慮すると金属製のものを用いるのが好ましく、一般にはアルミニウム、ステンレス、鉄鋼等の金属板をプレス成形加工したものや、それらにめっき、塗装を施したもの等を好適に用いることができる。
【００３２】
なお、本実施形態に示す前記掘削部材４は、前記支柱本体１の内側に内挿されているが、特にこれに限定されるものではなく、前記支柱本体１の外側に前記掘削部材４が外嵌されるようになされていてもよい。
【符号の説明】
【００３３】
１、１Ａ    防護柵用支柱
１１        支柱本体
１１１      側壁
１１２      貫通孔
１２        挿通孔
２          横ビーム
２１        接続具
３、３Ａ    ビーム支持具
３１        垂直板部
３２        上板部
３３        下板部
３４、３５  湾曲部
４          掘削部材
４１        取付部
４２        刃部
４２１      非傾斜側端部
４２２      傾斜側端部
４２３      非傾斜側端部
４３        側壁
４４        透孔
Ｐ          防護柵
Ｂ          取付ボルト
Ｃ          支柱キャップ
Ｋ          貫通ボルト
Ｄ          固定ボルト
Ｇ          地面
Ｎ１、Ｎ２  ナット
【図１】
2018016937.tif 000003
【図２】
2018016937.tif 000004
【図３】
2018016937.tif 000005
【図４】
2018016937.tif 000006
【図５】
2018016937.tif 000007
【図６】
2018016937.tif 000008